(57)【要約】【課題】自立的に情報の収集動作をおこない、効率的に所望の情報を収集すること。【解決手段】エージェントの情報収集欲求度情報を記憶する情報収集欲求度情報記憶部６０２と、あらかじめ設けられた仮想領域におけるエージェントの位置情報を記憶する位置情報記憶部６０４と、各エージェントの情報収集欲求度に関する情報および位置情報記憶部６０４によって記憶された各エージェントの位置情報の少なくとも一つに基づき、仮想領域内に存在する他のエージェントの近傍へ移動させるように、エージェントの位置情報を変更する位置情報変更部６０３と、移動した近傍に存在する他のエージェントが有する情報を情報収集欲求度情報記憶部６０２によって記憶された情報収集欲求度に関する情報に基づき取得する情報取得部６０５と、取得された情報を記憶する取得情報記憶部６０６と、を備える。【選択図】　　　図６
2004054587.tif 000002
【特許請求の範囲】
【請求項１】
ユーザーが所望する情報を収集するためのエージェントを管理するエージェント管理装置であって、
前記エージェントの情報収集欲求度に関する情報を前記エージェントごとに記憶する情報収集欲求度情報記憶手段と、
あらかじめ設けられた仮想領域における前記エージェントの位置情報を前記エージェントごとに記憶する位置情報記憶手段と、
前記情報収集欲求度情報記憶手段によって記憶された各エージェントの情報収集欲求度に関する情報および前記位置情報記憶手段によって記憶された各エージェントの位置情報の少なくとも一つに基づいて、前記仮想領域内に存在する他のエージェントの近傍へ移動させるように、前記エージェントの位置情報を変更する位置情報変更手段と、
前記位置情報変更手段によって位置情報を変更することで移動した近傍に存在する他のエージェントが有する情報を前記情報収集欲求度情報記憶手段によって記憶された情報収集欲求度に関する情報に基づいて取得する情報取得手段と、
前記情報取得手段によって取得された情報をエージェントごとに記憶する取得情報記憶手段と、
を備えたことを特徴とするエージェント管理装置。
【請求項２】
前記ユーザーからの前記情報収集欲求度に関する情報の入力を受け付ける入力手段を備えたことを特徴とする請求項１に記載のエージェント管理装置。
【請求項３】
前記取得情報記憶手段によって記憶された情報を前記ユーザーに対して出力する出力手段を備えたことを特徴とする請求項１または２に記載のエージェント管理装置。
【請求項４】
前記情報収集欲求度情報記憶手段によって記憶された情報収集欲求度に関する情報のうち欲求度の強さに関する値を時間の経過とともに変化させる、または、前記情報収集欲求度情報記憶手段によって記憶された情報収集欲求度に関する情報のうち欲求度の強さに関する値を前記情報取得手段によって取得された回数および内容の少なくともいずれか一つによって変化させる情報収集欲求度情報変更手段を備えたことを特徴とする請求項１〜３のいずれか一つに記載のエージェント管理装置。
【請求項５】
前記情報収集欲求度に関する情報は複数のジャンルから構成されることを特徴とする請求項１〜４のいずれか一つに記載のエージェント管理装置。
【請求項６】
各前記情報収集欲求度に関する情報は各ジャンルごとの優先順位に関する情報を有し、前記位置情報変更手段は、前記優先順位に関する情報に基づいて、前記仮想領域内に存在する他のエージェントの近傍へ移動させるように、前記エージェントの位置情報を変更することを特徴とする請求項５に記載のエージェント管理装置。
【請求項７】
ユーザーが所望する情報を収集するためのエージェントを管理するエージェント管理方法であって、
各エージェントの情報収集欲求度に関する情報およびあらかじめ設けられた仮想領域における各エージェントの位置情報の少なくとも一つに基づいて、前記仮想領域内に存在する他のエージェントの近傍へ移動させるように、前記エージェントの位置情報を変更する位置情報変更工程と、
前記位置情報変更工程によって位置情報を変更することで移動した近傍に存在する他のエージェントが有する情報を前記情報収集欲求度に関する情報に基づいて取得する情報取得工程と、
前記情報取得工程によって取得された情報をエージェントごとに蓄積する取得情報蓄積工程と、
を含んだことを特徴とするエージェント管理方法。
【請求項８】
ユーザーが所望する情報を収集するためのエージェントを管理するエージェント管理プログラムであって、
各エージェントの情報収集欲求度に関する情報およびあらかじめ設けられた仮想領域における各エージェントの位置情報の少なくとも一つに基づいて、前記仮想領域内に存在する他のエージェントの近傍へ移動させるように、前記エージェントの位置情報を変更する位置情報変更工程と、
前記位置情報変更工程によって位置情報を変更することで移動した近傍に存在する他のエージェントが有する情報を前記情報収集欲求度に関する情報に基づいて取得する情報取得工程と、
前記情報取得工程によって取得された情報をエージェントごとに蓄積する取得情報蓄積工程と、
をコンピュータに実行させることを特徴とするエージェント管理プログラム。
【発明の詳細な説明】
【０００１】
【発明の属する技術分野】
この発明は、ユーザーが所望する情報を収集するためのエージェントを管理するエージェント管理装置、エージェント管理方法およびエージェント管理プログラムに関する。
【０００２】
【従来の技術】
近年、インターネット広告市場は年々拡大している。情報提供者がマスユーザーに対し効果的に広告提供をおこなうためには、ターゲットユーザーを絞り込む必要がある。ターゲットを絞り込むには、個々のユーザーの特性を把握し、似た特性をまとめてグループ化する必要がある。従来、個々のユーザーの特性は情報フィルタリング技術により、ユーザーの興味という形で抽出してきた。
【０００３】
また、データマイニング技術を使ったサービスでは、オンラインスーパーマーケットがあるが、この場合、パーソナライゼーション・エンジン、ターゲティングエンジンを用いてユーザーのアクセス、購入履歴をもとに個々のユーザーに合わせた「リコメンドサービス」を展開したり、キャンペーンの対象にするユーザーを絞り込んだりしている。
【０００４】
また、特開２００１−７５９７２号公報においては、個々のユーザーの興味の類似度を求めてグループ化し、情報提供者の広告商品などに興味を持ちそうなユーザーグループを抽出することにより、情報提供者が広告ターゲットを容易に選定できるユーザーグループ動的生成方法及び装置、並びにユーザーグループ動的生成プログラムを記録した記録媒体を提案している。
【０００５】
【発明が解決しようとする課題】
しかしながら、上記従来の技術にあっては、個々のユーザーに特化した情報を提供するものであり、情報提供者が特性の似たユーザーをグループとして把握できないという問題点があった。
【０００６】
すなわち、基本的にユーザーが過去に閲覧した情報の中から同じものを探してくる方式であるため、たとえばユーザーがサーフィンに興味があったら、海情報、ボード情報などの情報をリコメンドすることはできるが、ハワイ旅行、スーツケース、日焼け止め化粧品などの追加情報はリコメンドできないという問題点があった。
【０００７】
また、上記特開２００１−７５９７２号公報にあっては、ユーザーグループのグルーピングにキーワードベクトルと類似度の高い概念ベクトルを用いている。
この処理はメタなクラスタリング手法としては有用であるが、実世界の口コミにより実現されるグルーピング処理とは本質的に異なっており、情報提供者の提供する情報に興味を持つ可能性のあるユーザーグループをエージェントを利用して自動的かつ動的に生成することができないという問題点があった。
【０００８】
この発明は、上記課題を解決するためになされたものであり、効率的に所望の情報を収集することが可能なエージェント管理装置、エージェント管理方法およびエージェント管理プログラムを提供することを目的としている。
【０００９】
【課題を解決するための手段】
上記課題を解決するために、請求項１に記載の発明にかかるエージェント管理装置は、ユーザーが所望する情報を収集するためのエージェントを管理するエージェント管理装置であって、前記エージェントの情報収集欲求度に関する情報を前記エージェントごとに記憶する情報収集欲求度情報記憶手段と、あらかじめ設けられた仮想領域における前記エージェントの位置情報を前記エージェントごとに記憶する位置情報記憶手段と、前記情報収集欲求度情報記憶手段によって記憶された各エージェントの情報収集欲求度に関する情報および前記位置情報記憶手段によって記憶された各エージェントの位置情報の少なくとも一つに基づいて、前記仮想領域内に存在する他のエージェントの近傍へ移動させるように、前記エージェントの位置情報を変更する位置情報変更手段と、前記位置情報変更手段によって位置情報を変更することで移動した近傍に存在する他のエージェントが有する情報を前記情報収集欲求度情報記憶手段によって記憶された情報収集欲求度に関する情報に基づいて取得する情報取得手段と、前記情報取得手段によって取得された情報をエージェントごとに記憶する取得情報記憶手段と、を備えたことを特徴とする。
【００１０】
この請求項１に記載の発明によれば、エージェントは、インターネットなどで情報提供者の提供する情報に興味を持つ可能性のあるユーザーグループをエージェントを利用して自動的かつ動的に生成し、自立的に情報の収集動作をおこなうことができる。
【００１１】
また、請求項２に記載の発明にかかるエージェント管理装置は、請求項１に記載の発明において、前記ユーザーからの前記情報収集欲求度に関する情報の入力を受け付ける入力手段を備えたことを特徴とする。
【００１２】
この請求項２に記載の発明によれば、ユーザーが所望する情報の収集をおこなわせることができる。
【００１３】
また、請求項３に記載の発明にかかるエージェント管理装置は、請求項１または２に記載の発明において、前記取得情報記憶手段によって記憶された情報を前記ユーザーに対して出力する出力手段を備えたことを特徴とする。
【００１４】
この請求項３に記載の発明によれば、収集した情報をユーザーに伝えることができる。
【００１５】
また、請求項４に記載の発明にかかるエージェント管理装置は、請求項１〜３のいずれか一つに記載の発明において、前記情報収集欲求度情報記憶手段によって記憶された情報収集欲求度に関する情報のうち欲求度の強さに関する値を時間の経過とともに変化させる、または、前記情報収集欲求度情報記憶手段によって記憶された情報収集欲求度に関する情報のうち欲求度の強さに関する値を前記情報取得手段によって取得された回数および内容の少なくともいずれか一つによって変化させる情報収集欲求度情報変更手段を備えたことを特徴とする。
【００１６】
この請求項４に記載の発明によれば、エージェントの情報の収集動作に変化をつけることができる。
【００１７】
ここで、前記情報収集欲求度情報変更手段は、前記欲求度の強さに関する値を時間の経過とともに大きくするようにしてもよい。また、前記情報収集欲求度情報変更手段は、前記欲求度の強さに関する値を前記情報取得手段によって取得された回数に比例して小さくするようにしてもよい。
【００１８】
また、請求項５に記載の発明にかかるエージェント管理装置は、請求項１〜４のいずれか一つに記載の発明において、前記情報収集欲求度に関する情報が複数のジャンルから構成されることを特徴とする。
【００１９】
この請求項５に記載の発明によれば、複数のジャンルの内容を同時に収集させることができる。
【００２０】
ここで、前記情報収集欲求度情報記憶手段は、それぞれの前記ジャンルごとに情報を記憶するようにしてもよい。
【００２１】
また、請求項６に記載の発明にかかるエージェント管理装置は、請求項５に記載の発明において、各前記情報収集欲求度に関する情報は各ジャンルごとの優先順位に関する情報を有し、前記位置情報変更手段は、前記優先順位に関する情報に基づいて、前記仮想領域内に存在する他のエージェントの近傍へ移動させるように、前記エージェントの位置情報を変更することを特徴とする。
【００２２】
この請求項６に記載の発明によれば、収集を希望する情報に複数のジャンルがある場合に、それらのジャンルに優先順位をつけて情報の収集をさせることができる。
【００２３】
ここで、前記仮想領域を複数設け、現在前記エージェントが存在する仮想領域内に、前記位置情報変更手段によって前記エージェントの位置情報を変更させる対象となる他のエージェントが存在しない場合に、前記仮想領域とは別の仮想領域へ移動させる移動手段を備えるようにしてもよい。また、前記仮想領域は、前記ユーザーごとに設けられるようにしてもよい。
【００２４】
また、請求項７に記載の発明にかかるエージェント管理方法は、ユーザーが所望する情報を収集するためのエージェントを管理するエージェント管理方法であって、各エージェントの情報収集欲求度に関する情報およびあらかじめ設けられた仮想領域における各エージェントの位置情報の少なくとも一つに基づいて、前記仮想領域内に存在する他のエージェントの近傍へ移動させるように、前記エージェントの位置情報を変更する位置情報変更工程と、前記位置情報変更工程によって位置情報を変更することで移動した近傍に存在する他のエージェントが有する情報を前記情報収集欲求度に関する情報に基づいて取得する情報取得工程と、前記情報取得工程によって取得された情報をエージェントごとに蓄積する取得情報蓄積工程と、を含んだことを特徴とする。
【００２５】
この請求項７に記載の発明によれば、エージェントは、インターネットなどで情報提供者の提供する情報に興味を持つ可能性のあるユーザーグループをエージェントを利用して自動的かつ動的に生成し、自立的に情報の収集動作をおこなうことができる。
【００２６】
また、請求項８に記載の発明にかかるエージェント管理プログラムは、ユーザーが所望する情報を収集するためのエージェントを管理するエージェント管理プログラムであって、各エージェントの情報収集欲求度に関する情報およびあらかじめ設けられた仮想領域における各エージェントの位置情報の少なくとも一つに基づいて、前記仮想領域内に存在する他のエージェントの近傍へ移動させるように、前記エージェントの位置情報を変更する位置情報変更工程と、前記位置情報変更工程によって位置情報を変更することで移動した近傍に存在する他のエージェントが有する情報を前記情報収集欲求度に関する情報に基づいて取得する情報取得工程と、前記情報取得工程によって取得された情報をエージェントごとに蓄積する取得情報蓄積工程と、をコンピュータに実行させることを特徴とする。
【００２７】
この請求項８に記載の発明によれば、コンピュータを実行させて、エージェントが、インターネットなどで情報提供者の提供する情報に興味を持つ可能性のあるユーザーグループをエージェントを利用して自動的かつ動的に生成し、自立的に情報の収集動作をおこなわせることができる。
【００２８】
【発明の実施の形態】
以下に添付図面を参照して、この発明にかかるエージェント管理装置、エージェント管理方法およびエージェント管理プログラムの好適な実施の形態について詳細に説明する。
【００２９】
（本実施の形態の概要）
まず、この発明の本実施の形態の概要について説明する。図１および図２は、この発明の本実施の形態の概要を示す説明図である。図１は、欲しい情報を持った存在（エージェント）を探して近づく動作を示す説明図である。図１において、１００〜１０３は異なるユーザーのエージェントである。これらのエージェント１００〜１０３は、それぞれ視野の範囲を持っている。ここで、エージェント１００（以下、「当該エージェント」ともいう）の視野の範囲には、他のエージェント１０１および１０２が存在している。
【００３０】
そして、エージェント１００の視野の範囲内において、一番欲しい「スポーツ情報」を持っている他のエージェントが存在するか否かを探す。そして、そのような他のエージェントが見つかった場合には、その他のエージェント（図１においてはエージェント１０１）の近傍へ移動する。そして、そのスポーツ情報をエージェント１０１から取得する。
【００３１】
一方、図２は、欲しい情報を持った存在が見つからない場合の動作を示す説明図である。図２において、領域Ａに存在するエージェント１００の視野の範囲には、スポーツ情報を持っているエージェント１０１が入っておらず、エージェント１００は、欲しい情報を持ったエージェントが存在しないと判断する。そして、エージェント１００は、領域Ａとは別の仮想領域である領域Ｂへ移動することになる。
【００３２】
ここで、別の仮想領域とは、別のユーザーの情報処理端末装置の表示画面における領域を意味している。したがって、各ユーザーは、自らの情報処理端末装置の表示画面において、自ら所有するエージェントや他のユーザーが所有するエージェントが突然出現したり、消えたりするのを見ることができ、また、エージェントどうしが情報提供・収集し、その際に、エージェントどうしがあたかも会話をしているような動作をする。
【００３３】
また、出現したエージェントがユーザーに対して、質問して、新たな情報やユーザープロファイルをユーザーから収集することもある。このように、エージェントがあたかもペットのように飼い主であるユーザーの欲求する情報を収集したり、他のエージェントとコミニュケーションをとることができる。
【００３４】
また、エージェントはプロファイルをもとにコミュニティを生成することができる。また、情報提供者であるユーザーは、ディレクトリサーチによりユーザーグループを選択することができる。
【００３５】
このように、エージェントはユーザーと対話することによりユーザープロファイルを抽出する。これにより、アクセスログや購入履歴などだけでは抽出できなかったユーザープロファイルを抽出できる。また、エージェントはユーザープロファイルをもとにエージェントどうしで対話し、複数のエージェントによるコミュニティを自動生成する。このとき自動生成されたコミュニティはユーザーの嗜好を反映している。
【００３６】
さらに、情報提供者は広告商品などを表現するキーワードなどを入力したり、あらかじめグルーピングされたユーザーグループのうちから選択するだけで、宣伝したい商品に興味を持つ可能性のあるユーザーグループ（ターゲットユーザーグループ）を見つけることができる。したがって、結果として、ユーザーは自分の興味に応じた内容の情報を受け取ることができるようになる。
【００３７】
（全体システムの構成）
つぎに、この発明の本実施の形態にかかるエージェント管理装置を含む全体システムの構成について説明する。図３は、この発明の本実施の形態にかかるエージェント管理装置およびユーザー情報処理端末装置を含む全体システムのシステム構成を示す説明図である。図３において、３００はインターネットやＬＡＮなどのネットワークであり、３０１はサーバーなどから構成されるエージェント管理装置であり、３０２はユーザー情報処理端末装置であり、３０３は中継局であり、３０４は、無線の携帯型ユーザー情報処理端末装置である。
【００３８】
ここで、ユーザー情報処理端末装置３０２はたとえばパーソナルコンピュータ（ディスクトップ型、ノート型を含む）であり、携帯型ユーザー情報処理端末装置３０４は、通信機能を有するＰＤＡ（Ｐｅｒｓｏｎａｌ　Ｄｉｇｉｔａｌ　Ａｓｓｉｓｔａｎｔ）や携帯電話機などである。
【００３９】
また、ユーザーごとに設定され、各エージェントが存在する仮想領域は、エージェント管理装置３０１によって管理されており、ユーザー情報処理端末装置３０２または携帯型ユーザー情報処理端末装置３０４は、あらかじめ定められた仮想領域にのみアクセスでき、図３に示したように、アクセスできる仮想領域のみを閲覧することが可能となる。
【００４０】
（ハードウエア構成）
つぎに、この発明の本実施の形態にかかるエージェント管理装置およびユーザー情報処理端末装置のハードウエア構成について説明する。図４は、この発明の本実施の形態にかかるエージェント管理装置のハードウエア構成を示す説明図（ブロック図）である。図４において、４０１は装置全体を制御するＣＰＵを、４０２は基本入出力プログラムを記憶したＲＯＭを、４０３はＣＰＵ４０１のワークエリアとして使用されるＲＡＭを、それぞれ示している。
【００４１】
また、４０４はＣＰＵ４０１の制御にしたがってＨＤ（ハードディスク）４０５に対するデータのリード／ライトを制御するＨＤＤ（ハードディスクドライブ）を、４０５はＨＤＤ４０４の制御にしたがって書き込まれたデータを記憶するＨＤを、それぞれ示している。また、４０６はＣＰＵ４０１の制御にしたがってＦＤ（フレキシブルディスク）４０７に対するデータのリード／ライトを制御するＦＤＤ（フレキシブルディスクドライブ）を、４０７はＦＤＤ４０６の制御にしたがって書き込まれたデータを記憶する着脱自在の記憶媒体の一例としてのＦＤを、それぞれ示している。
【００４２】
また、４０８はカーソル、メニュー、ウィンドウ、あるいは文字や画像などの各種データを表示するディスプレイを、４０９は通信回線４１０を介してインターネット３００に接続され、そのネットワークとＣＰＵ４０１とのインタフェースとして機能するモデムを、それぞれ示している。また、４１１は文字、数値、各種指示などの入力のための複数のキーを備えたキーボードを、４１２は各種指示の選択や実行、処理対象の選択、カーソルの移動などをおこなうマウスを、それぞれ示している。
【００４３】
また、４１３は文字や画像を光学的に読み取るスキャナを、４１４はＣＰＵ４０１の制御にしたがって文字や画像を印刷するプリンタを、４１５は着脱可能な記録媒体であるＣＤ−ＲＯＭを、４１６はＣＤ−ＲＯＭ４１５に対するデータのリードを制御するＣＤ−ＲＯＭドライブを、４００は上記各部を接続するためのバスを、それぞれ示している。
【００４４】
また、図５は、この発明の本実施の形態にかかるユーザー情報処理端末装置のハードウエア構成を示す説明図（ブロック図）である。図５において、５０１は装置全体を制御するＣＰＵを、５０２は基本入出力プログラムを記憶したＲＯＭを、５０３はＣＰＵ５０１のワークエリアとして使用されたり、キャッシュとして用いられたりするＲＡＭを、それぞれ示している。
【００４５】
また、ディスプレイ５０４は、上記仮想領域の内容を表示する。具体的には、カーソル、アイコンあるいはツールボックスをはじめ、文書、画像、機能情報などのデータを表示する。たとえば、ＴＦＴ液晶ディスプレイなどである。
【００４６】
通信制御部５０５は、中継局３０３との電波の送受信を制御し、インターネット３００に接続され、インターネット３００を介して、サーバー３０１に接続される。そして、通信制御部５０５は、インターネット２００と内部とのインタフェースを司り、サーバー３０１とのデータの入出力を制御する。
【００４７】
キーボード（テンキー）５０６は、文字、数字、各種指示などの入力のためのキーを備え、データの入力をおこなう。ポインティングデバイス５０７は、カーソルの移動や範囲選択、などをおこなう。ポインティングデバイス５０７は、具体的にはマウスのほか、ポインティングデバイスとして同様の機能を備えるものであれば、十字キー、ジョグダイヤルなどであってもよい。マイク５０８は、音声を電気信号に変換することで入力する。スピーカ５０９は音声を出力する。マイク５０８、スピーカ５０９のいずれも電話機としての機能を備えたものである。そして、各構成部５０１〜５０９は、バス５００によって、それぞれ接続されている。
【００４８】
（エージェント管理装置の機能的構成）
つぎに、この発明の本実施の形態にかかるエージェント管理装置の機能的構成について説明する。図６は、この発明の本実施の形態にかかるエージェント管理装置の機能的構成を示す説明図（ブロック図）である。図６において、ネットワーク３００に接続されたエージェント管理装置３０１は、情報収集欲求度情報入力部６０１と、情報収集欲求度情報記憶部６０２と、位置情報変更部６０３と、位置情報記憶部６０４と、情報取得部６０５と、取得情報記憶部６０６と、情報収集欲求度情報変更部６０７と、取得情報出力部６０８と、を含んでいる。
【００４９】
情報収集欲求度情報入力部６０１は、ユーザーからの情報収集欲求度に関する情報の入力を受け付ける。情報収集欲求度情報入力部６０１は、具体的には、たとえば図４に示したモデム４０９などによってその機能を実現することができる。
【００５０】
情報収集欲求度情報記憶部６０２は、エージェントの情報収集欲求度に関する情報をエージェントごとに記憶する。情報収集欲求度に関する情報に関する内容は後述する。ここで、情報収集欲求度情報記憶部６０２は、それぞれのジャンルごとに情報を記憶するようにしてもよい。情報収集欲求度情報記憶部６０２は、具体的には、たとえば図４に示したＲＯＭ４０２、ＲＡＭ４０３、ＨＤ４０５およびＨＤＤ４０４、ＦＤ４０７およびＦＤＤ４０６、ＣＤ−ＲＯＭ４１５およびＣＤ−ＲＯＭドライブ４１６などによってその機能を実現することができる。
【００５１】
位置情報変更部６０３は、情報収集欲求度情報記憶部６０２によって記憶された各エージェントの情報収集欲求度に関する情報および位置情報記憶部６０４によって記憶された各エージェントの位置情報の少なくとも一つに基づいて、仮想領域内に存在する他のエージェントの近傍へ移動させるように、エージェントの位置情報を変更する。
【００５２】
ここで、前記仮想領域を複数設け、現在、当該エージェントが存在する仮想領域内に、前記位置情報変更手段によって当該エージェントの位置情報を変更させる対象となる他のエージェントが存在しない場合に、仮想領域とは別の仮想領域へ移動させるようにしてもよい。また、仮想領域は、ユーザーごとに設けられるようにするとよい。
【００５３】
位置情報変更部６０３は、具体的には、たとえば図４に示したＲＯＭ４０２、ＲＡＭ４０３、ＨＤ４０５、ＣＤ−ＲＯＭ４１５などに記録されたプログラムをＣＰＵ４０１が実行することによってその機能を実現することができる。
【００５４】
また、各情報収集欲求度に関する情報は各ジャンルごとの優先順位に関する情報を有し、その際、位置情報変更部６０３は、優先順位に関する情報に基づいて、仮想領域内に存在する他のエージェントの近傍へ移動させるように、エージェントの位置情報を変更する。
【００５５】
位置情報記憶部６０４は、あらかじめ設けられた仮想領域におけるエージェントの位置情報をエージェントごとに記憶する。位置情報記憶部６０４は、具体的には、たとえば図４に示したＲＯＭ４０２、ＲＡＭ４０３、ＨＤ４０５およびＨＤＤ４０４、ＦＤ４０７およびＦＤＤ４０６、ＣＤ−ＲＯＭ４１５およびＣＤ−ＲＯＭドライブ４１６などによってその機能を実現することができる。
【００５６】
情報取得部６０５は、位置情報変更部６０３によって位置情報を変更することで移動した近傍に存在する他のエージェントが有する情報を情報収集欲求度情報記憶部６０２によって記憶された情報収集欲求度に関する情報に基づいて取得する。
【００５７】
取得情報記憶部６０６は、情報取得部６０５によって取得された情報をエージェントごとに記憶する。取得情報記憶部６０６は、具体的には、たとえば図４に示したＲＯＭ４０２、ＲＡＭ４０３、ＨＤ４０５およびＨＤＤ４０４、ＦＤ４０７およびＦＤＤ４０６、ＣＤ−ＲＯＭ４１５およびＣＤ−ＲＯＭドライブ４１６などによってその機能を実現することができる。
【００５８】
情報収集欲求度情報変更部６０７は、情報収集欲求度情報記憶部６０２によって記憶された情報収集欲求度に関する情報のうち欲求度の強さに関する値を時間の経過とともに変化させる。ここで、欲求度の強さに関する値を時間の経過とともに大きくするようにするとよい。また、情報収集欲求度情報変更部６０７は、情報収集欲求度情報記憶部６０２によって記憶された情報収集欲求度に関する情報のうち欲求度の強さに関する値を前記情報取得部６０５によって取得された回数および内容の少なくとも一つを変化させる。ここで、前記欲求度の強さに関する値を前記情報取得手段によって取得された回数に比例して小さくするようにするとよい。
【００５９】
取得情報出力部６０８は、取得情報記憶部６０６によって記憶された情報をユーザーに対して出力する。取得情報出力部６０８は、具体的には、たとえば図４に示したモデム４０９などによってその機能を実現することができる。ここで、エージェントがユーザーに対して示す（出力する）のは、通常、ユーザーとの会話をおこなうときである。ただし、取得した情報の重量度が所定値よりも高い場合は、情報取得後にすぐにユーザーに対して話しかけるようにすることができる。
【００６０】
また、取得情報の出力のタイミングは、たとえば、情報を得るたびに、得られた情報をすべて一度に表示するようにしてもよい。また、一定時間経過後に、それまでに得られた情報を個別に表示してもよい。また、情報が所定量蓄積された場合に、あらかじめ定められた基準（たとえば、一週間以内に取得したもの、今まで取得していない新しいエージェントから取得したものなど）に基づいて選別して表示するようにしてもよい。
【００６１】
（ジャンル−欲求度対応データベースの内容）
つぎに、情報収集欲求度情報記憶部６０２に記憶されるジャンル−欲求度対応データベースのデータ構成について説明する。図７は、この発明の本実施の形態にかかるエージェント管理装置のジャンル−欲求度対応データベースのデータ構成の一例を示す説明図である。図７において、各エージェントには、与えられたジャンルごとに欲求度に関する値が格納される。また、各ジャンルは細分化されていてもよい。たとえば、ジャンル「スポーツ」の中に、「野球」、「サッカー」、「テニス」などのジャンルがあってもよく、ジャンル「スポーツ」と場合はは、上記細分化されたジャンルの平均値をそのジャンルの欲求度の値とすることができる。
【００６２】
欲求度の値を算出するために、ジャンルごとに「情報量」および「欠乏度」に関する内部値を持つ。ここで、「情報量」とは、そのジャンルの情報の量の比率であり、０〜１．０で表す。また、「欠乏度」とは、そのジャンルの情報の欠乏度であり、０〜１．０で表す。そして、この２つの値に基づいて、たとえば、以下の式を用いて欲求度の値を算出する。
【００６３】
（欲求度）＝（情報量の比率）２＋（欠乏度）２
【００６４】
また、他のエージェントから新しい情報を取得した場合に、上記あらかじめユーザーがジャンルを設定するほかに、上記ジャンルを自動化カテゴライズ（分類・追加・削除）できるようにしてもよい。
【００６５】
（エージェント管理装置の処理手順）
つぎに、この発明の本実施の形態にかかるエージェント管理装置の一連の処理の手順について説明する。図８は、この発明の本実施の形態にかかるエージェント管理装置の処理の内容を示すフローチャートである。図８のフローチャートにおいて、まず、エージェント管理装置に内蔵された、図示を省略するタイマーを始動し、計時を開始する（ステップＳ８０１）。そして、計時を開始してから所定時間が経過したか否かを判断する（ステップＳ８０２）。
【００６６】
ここで、所定時間が経過していた場合（ステップＳ８０２：Ｙｅｓ）は、現時点における欲求度の値にあらかじめ定められた値を加算するように欲求度情報を変更する（ステップＳ８０８）。すなわち、すべてのジャンルについての欠乏度は一定時間ごとに少しずつ上昇する。このとき、特定のジャンルについては、より興味を持っていることを表すために、興味のあるジャンルについては、上昇率を大きくなるように設定することができる。したがって、興味のある内容は、欲求度が上がりやすく設定することができる。このようにして、ジャンルごとによって欲求度の値に加算する値を異なるように設定してもよい。また、欲求度の値に加算する値は、エージェントごとに異なるように設定してもよい。さらに、上記所定時間はエージェントごとに定めることができる。
【００６７】
ステップＳ８０２において、所定時間が経過していない場合（ステップＳ８０２：Ｎｏ）は、つぎに、当該エージェントが存在する仮想領域の所定の範囲内に他のエージェントが存在するか否かを判断する（ステップＳ８０３）。ここで、他のエージェントが存在しない場合（ステップＳ８０３：Ｎｏ）、欲求度を満足することができないので、別の仮想領域へ移動し、仮想領域情報を変更する（ステップＳ８０４）。その後、ステップＳ８０３へ戻る。移動先の仮想領域においても、所定の範囲内に他のエージェントが存在しない場合は、再度、別仮想領域へ移動する。これを繰り返すことによって、他のエージェントが存在する仮想領域を探し当てることができる。
【００６８】
ステップＳ８０３において、仮想領域の所定の範囲内に他のエージェントが存在する場合（ステップＳ８０３：Ｙｅｓ）は、存在する他のエージェントのうち、当該エージェントの欲求度が最も高いジャンルの情報を持った他のエージェントが存在するか否かを判断する（ステップＳ８０５）。
【００６９】
具体的には、当該エージェントの欲求度が一定値以上（具体的には、たとえば欲求値の値が「０．４」以上）となっているジャンルの情報を持っている他のエージェントが存在するか否かを判断する。その際、その他のエージェントが持っている最も情報量の多いジャンルがどのジャンルであるかを知ることができる。
その中で、最も当該エージェントの欲求度の高い情報を持っている他のエージェントを上記最も高いジャンルを持った他のエージェントとする。また、欲求度の高さが同じ他のエージェントが複数あれば、当該エージェントからの距離が最も近いエージェントを上記最も高いジャンルを持った他のエージェントとする。
【００７０】
ここで、該当する他のエージェントが存在しない場合（ステップＳ８０５：Ｎｏ）は、同様に欲求度を満足することができないので、別の仮想領域へ移動し、仮想領域情報を変更する（ステップＳ８０４）。移動する先は、ランダムでもよい。また、取得情報記憶部６０６に記憶された情報に基づいて、当該エージェントにとっての欲求度の高いジャンルの情報が存在している領域を移動する先に決定し、その移動先の領域へ移動するようにしてもよい。その後、ステップＳ８０３へ戻る。
【００７１】
ステップＳ８０５において、当該エージェントの欲求度が最も高いジャンルの情報を持った他のエージェントが存在する場合（ステップＳ８０５：Ｙｅｓ）は、その他のエージェントの近傍へ移動し、当該エージェントの位置情報を変更する（ステップＳ８０６）。そして、その他のエージェントが有する情報を取得し、当該エージェントの取得情報を取得した情報を付加するように変更する（ステップＳ８０７）。さらに、情報を取得したことによって、欲求度情報を所定の値まで下げるように変更する（ステップＳ８０８）。すなわち、情報を受け取ると、そのジャンルの情報量は一定の値だけ増加する。そして欠乏度は「０」となる。したがって、欲求度の値も下がることになる。その後、ステップＳ８０１へ移行する。
【００７２】
当該エージェントは、上記ステップＳ８０１〜Ｓ８０８を繰り返しおこなうことによって、欲求度情報に基づく情報を他のエージェントから取得し続ける。それによって、取得情報の内容は欲求度情報の内容に基づいて、徐々に充実してゆくことになる。
【００７３】
図９は、この発明の本実施の形態にかかるエージェント管理装置の別の処理の内容を示すフローチャートであり、具体的には、ユーザーからの欲求度情報の入力処理に関する内容を示すものである。図９のフローチャートにおいて、エージェント管理装置は、ユーザー情報処理端末装置３０２からネットワーク３００を介して欲求度情報の入力があったか否かを判断する（ステップＳ９０１）。欲求度情報の入力には、新たなジャンルの情報収集の欲求度に関する内容でもよく、また、すでに入力されたジャンルの情報収集の欲求度を変更するものであってもよい。
【００７４】
ステップＳ９０１において、欲求度情報の入力があった場合（ステップＳ９０１：Ｙｅｓ）のみ、欲求度情報を変更する（ステップＳ９０２）。そして、変更された欲求度情報によって、図８に示した各処理を繰り返しおこなうことになる。
【００７５】
図１０は、この発明の本実施の形態にかかるエージェント管理装置の別の処理の内容を示すフローチャートであり、具体的には、複数のユーザーからの情報を取得する処理に関する内容を示すものである。図１０のフローチャートにおいて、まず、欲求度の値が所定値以上になったか否かを判断する（ステップＳ１００１）とともに、仮想領域の移動を所定回数おこなったか否かを判断する（ステップＳ１００２）。
【００７６】
ここで、いずれか一つの条件を満たす場合（ステップＳ１００１：ＹｅｓまたはステップＳ１００２：Ｙｅｓ）は、当該エージェントが現在存在する仮想領域を所有するユーザーに対して質問文を出力する（ステップＳ１００３）。そして、その質問文に対して当該ユーザーからの回答が入力されたか否かを判断する（ステップＳ１００４）。
【００７７】
そして、回答が入力されない場合（ステップＳ１００４：Ｎｏ）は、質問文を出力してから所定時間が経過したか否かを判断する（ステップＳ１００５）。そして、所定時間が経過していない場合（ステップＳ１００５：Ｎｏ）は、ステップＳ１００４へ戻る。一方、所定時間が経過した場合（ステップＳ１００５：Ｙｅｓ）は、ユーザーが質問文を確認していないまたは確認したが回答する意思無しとみなして、一連の処理を終了する。
【００７８】
ステップＳ１００４において、回答が入力された場合（ステップＳ１００４：Ｙｅｓ）は、当該ユーザーの取得情報を変更する（ステップＳ１００６）とともに、回答に情報取得の欲求度が満足したと判断できるため、欲求度を下げるように欲求度情報を変更する（ステップＳ１００７）。
【００７９】
図１１は、この発明の本実施の形態にかかるエージェント管理装置の別の処理の内容を示すフローチャートであり、具体的には、ユーザーへの情報の出力処理に関する内容を示すものである。図１１のフローチャートにおいて、ユーザーからの取得情報の表示要求があったか否かを判断する（ステップＳ１１０１）。ここで要求があった場合（ステップＳ１１０１：Ｙｅｓ）は、当該取得情報をユーザーへ送信する（ステップＳ１１０２）。
【００８０】
（表示画面の具体例）
図１２は、この発明の本実施の形態にかかるエージェント管理装置へアクセス可能なユーザー情報処理端末装置の表示画面を示す説明図である。図１２は、エージェント（インターネットペット）の登録画面である。図１２において、ユーザーが自らのユーザー情報処理端末装置３０２から所定記入事項を入力し、サーバーへ送信することによって、エージェントの登録が完了する。そして、登録が完了したエージェントには、それぞれ、図７に示した欲求度に関する情報を格納するデータベースをサーバー上または自らのユーザー情報処理端末装置３０２に有するようにしてもよい。
【００８１】
図１３は、仮想領域の一例であり、この仮想領域が、コミュニティの一部を形成している。図１３において、エージェント１３０１が、エージェント１３０２の近傍へ移動し、エージェント１３０２と接触した状態を示している。ここで、エージェント１３０１はエージェント１３０２が持っている情報を取得する。その際、表示画面には、両エージェント１３０１と１３０２があたかも会話をしているような内容を表示する。たとえば、エージェント１３０１からエージェント１３０２への質問の内容や、その質問に対するエージェント１３０２の回答の内容を吹き出しなどを用いて表示する。
【００８２】
そのほか、各エージェントをインターネットペットとして扱うことができ、表示されたアイコン１３０３を用いて、餌を与えたり、なでたり、たたいたりすることも可能である。
【００８３】
以上説明したように、本実施の形態によれば、エージェントの情報収集欲求度に関する情報を前記エージェントごとに記憶する情報収集欲求度情報記憶部６０２と、あらかじめ設けられた仮想領域における前記エージェントの位置情報を前記エージェントごとに記憶する位置情報記憶部６０４と、情報収集欲求度情報記憶部６０２によって記憶された各エージェントの情報収集欲求度に関する情報および位置情報記憶部６０４によって記憶された各エージェントの位置情報の少なくとも一つに基づいて、仮想領域内に存在する他のエージェントの近傍へ移動させるように、前記エージェントの位置情報を変更する位置情報変更部６０３と、前記位置情報変更部６０３によって位置情報を変更することで移動した近傍に存在する他のエージェントが有する情報を情報収集欲求度情報記憶部６０２によって記憶された情報収集欲求度に関する情報に基づいて取得する情報取得部６０５と、情報取得部６０５によって取得された情報をエージェントごとに記憶する取得情報記憶部６０６と、を備えたため、エージェントが、インターネットなどで情報提供者の提供する情報に興味を持つ可能性のあるユーザーグループをエージェントを利用して自動的かつ動的に生成し、自立的に情報の収集動作をおこなうことができ、効率的に所望の情報を収集することができる。
【００８４】
また、本実施の形態によれば、ユーザーからの情報収集欲求度に関する情報の入力を受け付ける情報収集欲求度情報入力部６０１を備えたため、ユーザーが所望する情報の収集をおこなわせることができる。
【００８５】
また、前記取得情報記憶手段によって記憶された情報を前記ユーザーに対して出力する取得情報出力部６０８を備えたため、収集した情報をユーザーに伝えることができる。
【００８６】
また、本実施の形態によれば、請求項１〜３のいずれか一つに記載の発明において、情報収集欲求度情報記憶部６０２によって記憶された情報収集欲求度に関する情報のうち欲求度の強さに関する値を時間の経過とともに変化させる、また、情報収集欲求度情報記憶部６０２によって記憶された情報収集欲求度に関する情報のうち欲求度の強さに関する値を情報取得部６０５によって取得された回数および内容の少なくともいずれか一つによって変化させる情報収集欲求度情報変更部６０７を備えたため、エージェントの情報の収集動作に変化をつけることができる。
【００８７】
また、本実施の形態によれば、前記情報収集欲求度に関する情報が複数のジャンルから構成されるため、エージェントに複数のジャンルの内容を同時に収集させることができる。
【００８８】
また、本実施の形態によれば、各前記情報収集欲求度に関する情報は各ジャンルごとの優先順位に関する情報を有し、位置情報変更部６０３は、優先順位に関する情報に基づいて、仮想領域内に存在する他のエージェントの近傍へ移動させるように、エージェントの位置情報を変更するため、収集を希望する情報に複数のジャンルがある場合に、それらのジャンルに優先順位をつけて情報の収集をさせることができる。
【００８９】
また、本実施の形態において説明したエージェント管理方法は、あらかじめ用意されたコンピュータ読み取り可能なプログラムであってもよく、またそのプログラムをパーソナルコンピュータやワークステーションなどのコンピュータで実行することによって実現される。このプログラムは、ＨＤ（ハードディスク）、ＦＤ（フレキシブルディスク）、ＣＤ−ＲＯＭ、ＭＯ、ＤＶＤなどのコンピュータで読み取り可能な記録媒体に記録され、コンピュータによって記録媒体から読み出されることによって実行される。また、このプログラムは、インターネットやＬＡＮなどのネットワークを介して配布することが可能な伝送媒体であってもよい。
【００９０】
【発明の効果】
以上説明したように、請求項１に記載の発明によれば、ユーザーが所望する情報を収集するためのエージェントを管理するエージェント管理装置であって、前記エージェントの情報収集欲求度に関する情報を前記エージェントごとに記憶する情報収集欲求度情報記憶手段と、あらかじめ設けられた仮想領域における前記エージェントの位置情報を前記エージェントごとに記憶する位置情報記憶手段と、前記情報収集欲求度情報記憶手段によって記憶された各エージェントの情報収集欲求度に関する情報および前記位置情報記憶手段によって記憶された各エージェントの位置情報の少なくとも一つに基づいて、前記仮想領域内に存在する他のエージェントの近傍へ移動させるように、前記エージェントの位置情報を変更する位置情報変更手段と、前記位置情報変更手段によって位置情報を変更することで移動した近傍に存在する他のエージェントが有する情報を前記情報収集欲求度情報記憶手段によって記憶された情報収集欲求度に関する情報に基づいて取得する情報取得手段と、前記情報取得手段によって取得された情報をエージェントごとに記憶する取得情報記憶手段と、を備えたため、エージェントが、インターネットなどで情報提供者の提供する情報に興味を持つ可能性のあるユーザーグループをエージェントを利用して自動的かつ動的に生成し、自立的に情報の収集動作をおこなうことができ、これによって、効率的に所望の情報を収集することが可能なエージェント管理装置が得られるという効果を奏する。
【００９１】
また、請求項２に記載の発明によれば、請求項１に記載の発明において、前記ユーザーからの前記情報収集欲求度に関する情報の入力を受け付ける入力手段を備えたため、ユーザーが所望する情報の収集をおこなわせることができ、これによって、効率的に所望の情報を収集することが可能なエージェント管理装置が得られるという効果を奏する。
【００９２】
また、請求項３に記載の発明によれば、請求項１または２に記載の発明において、前記取得情報記憶手段によって記憶された情報を前記ユーザーに対して出力する出力手段を備えたため、収集した情報をユーザーに伝えることができ、これによって、効率的に所望の情報を収集することが可能なエージェント管理装置が得られるという効果を奏する。
【００９３】
また、請求項４に記載の発明によれば、請求項１〜３のいずれか一つに記載の発明において、前記情報収集欲求度情報記憶手段によって記憶された情報収集欲求度に関する情報のうち欲求度の強さに関する値を時間の経過とともに変化させる、または、前記情報収集欲求度情報記憶手段によって記憶された情報収集欲求度に関する情報のうち欲求度の強さに関する値を前記情報取得手段によって取得された回数および内容の少なくともいずれか一つによって変化させる情報収集欲求度情報変更手段を備えたため、エージェントの情報の収集動作に変化をつけることができ、これによって、効率的に所望の情報を収集することが可能なエージェント管理装置が得られるという効果を奏する。
【００９４】
また、請求項５に記載の発明によれば、請求項１〜４のいずれか一つに記載の発明において、前記情報収集欲求度に関する情報が複数のジャンルから構成されるため、エージェントに複数のジャンルの内容を同時に収集させることができ、これによって、効率的に所望の情報を収集することが可能なエージェント管理装置が得られるという効果を奏する。
【００９５】
また、請求項６に記載の発明によれば、請求項５に記載の発明において、各前記情報収集欲求度に関する情報は各ジャンルごとの優先順位に関する情報を有し、前記位置情報変更手段は、前記優先順位に関する情報に基づいて、前記仮想領域内に存在する他のエージェントの近傍へ移動させるように、前記エージェントの位置情報を変更するため、収集を希望する情報に複数のジャンルがある場合に、それらのジャンルに優先順位をつけて情報の収集をさせることができ、これによって、効率的に所望の情報を収集することが可能なエージェント管理装置が得られるという効果を奏する。
【００９６】
また、請求項７に記載の発明によれば、ユーザーが所望する情報を収集するためのエージェントを管理するエージェント管理方法であって、各エージェントの情報収集欲求度に関する情報およびあらかじめ設けられた仮想領域における各エージェントの位置情報の少なくとも一つに基づいて、前記仮想領域内に存在する他のエージェントの近傍へ移動させるように、前記エージェントの位置情報を変更する位置情報変更工程と、前記位置情報変更工程によって位置情報を変更することで移動した近傍に存在する他のエージェントが有する情報を前記情報収集欲求度に関する情報に基づいて取得する情報取得工程と、前記情報取得工程によって取得された情報をエージェントごとに蓄積する取得情報蓄積工程と、を含むため、エージェントが、インターネットなどで情報提供者の提供する情報に興味を持つ可能性のあるユーザーグループをエージェントを利用して自動的かつ動的に生成し、自立的に情報の収集動作をおこなうことができ、これによって、効率的に所望の情報を収集することが可能なエージェント管理方法が得られるという効果を奏する。
【００９７】
また、請求項８に記載の発明にかかるエージェント管理プログラムは、ユーザーが所望する情報を収集するためのエージェントを管理するエージェント管理プログラムであって、各エージェントの情報収集欲求度に関する情報およびあらかじめ設けられた仮想領域における各エージェントの位置情報の少なくとも一つに基づいて、前記仮想領域内に存在する他のエージェントの近傍へ移動させるように、前記エージェントの位置情報を変更する位置情報変更工程と、前記位置情報変更工程によって位置情報を変更することで移動した近傍に存在する他のエージェントが有する情報を前記情報収集欲求度に関する情報に基づいて取得する情報取得工程と、前記情報取得工程によって取得された情報をエージェントごとに蓄積する取得情報蓄積工程と、をコンピュータに実行させるため、エージェントが、インターネットなどで情報提供者の提供する情報に興味を持つ可能性のあるユーザーグループをエージェントを利用して自動的かつ動的に生成し、自立的に情報の収集動作をおこなわせることができ、これによって、効率的に所望の情報を収集することが可能なエージェント管理プログラムが得られるという効果を奏する。
【図面の簡単な説明】
【図１】この発明の本実施の形態の概要を示す説明図である。
【図２】この発明の本実施の形態の概要を示す別の説明図である。
【図３】この発明の本実施の形態にかかるエージェント管理装置を含む全体システムのシステム構成を示す説明図である。
【図４】この発明の本実施の形態にかかるエージェント管理装置のハードウエア構成を示す説明図（ブロック図）である。
【図５】この発明の本実施の形態にかかるエージェント管理装置へアクセス可能なユーザー情報処理端末装置のハードウエア構成を示す説明図（ブロック図）である。
【図６】この発明の本実施の形態にかかるエージェント管理装置の機能的構成を示す説明図（ブロック図）である。
【図７】この発明の本実施の形態にかかるエージェント管理装置のジャンル−欲求度対応データベースのデータ構成の一例を示す説明図である。
【図８】この発明の本実施の形態にかかるエージェント管理装置の処理の内容を示すフローチャートである。
【図９】この発明の本実施の形態にかかるエージェント管理装置の別の処理の内容を示すフローチャートである。
【図１０】この発明の本実施の形態にかかるエージェント管理装置の別の処理の内容を示すフローチャートである。
【図１１】この発明の本実施の形態にかかるエージェント管理装置の別の処理の内容を示すフローチャートである。
【図１２】この発明の本実施の形態にかかるエージェント管理装置へアクセス可能なユーザー情報処理端末装置の表示画面を示す説明図である。
【図１３】この発明の本実施の形態にかかるエージェント管理装置へアクセス可能なユーザー情報処理端末装置の表示画面を示す説明図である。
【符号の説明】
３００　ネットワーク（インターネット）
３０１　エージェント管理装置（サーバー）
３０２　ユーザー情報処理端末装置
３０３　中継局
３０４　携帯型ユーザー情報処理端末装置
４００，５００　バス
４０１，５０１　ＣＰＵ
４０２，５０２　ＲＯＭ
４０３，５０３　ＲＡＭ
４０４　ＨＤＤ（ハードディスクドライブ）
４０５　ＨＤ（ハードディスク）
４０６　ＦＤＤ（フレキシブルディスクドライブ）
４０７　ＦＤ（フレキシブルディスク）
４０８，５０４　ディスプレイ
４０９　モデム
４１０　通信回線
４１１，５０６　キーボード
４１２　マウス
４１３　スキャナ
４１４　プリンタ
４１５　ＣＤ−ＲＯＭ
４１６　ＣＤ−ＲＯＭドライブ
５０５　通信制御部
５０７　ポインティングデバイス
５０８　マイク
５０９　スピーカ
６０１　情報収集欲求度情報入力部
６０２　情報収集欲求度情報記憶部
６０３　位置情報変更部
６０４　位置情報記憶部
６０５　情報取得部
６０６　取得情報記憶部
６０７　情報収集欲求度情報変更部
６０８　取得情報出力部
【図１】
2004054587.tif 000003
【図２】
2004054587.tif 000004
【図３】
2004054587.tif 000005
【図４】
2004054587.tif 000006
【図５】
2004054587.tif 000007
【図６】
2004054587.tif 000008
【図７】
2004054587.tif 000009
【図８】
2004054587.tif 000010
【図９】
2004054587.tif 000011
【図１０】
2004054587.tif 000012
【図１１】
2004054587.tif 000013
【図１２】
2004054587.tif 000014
【図１３】
2004054587.tif 000015